(57)【要約】【課題】ダンパーが作用する原稿圧着板の閉成角度を変化させることなく、トルク調節ができるヒンジ装置を提供する。【解決手段】装置本体側に取り付けられる取付部材と、この取付部材にヒンジピンを介して回動可能に取り付けた原稿圧着板を支持する支持部材と、この支持部材側と前記取付部材との間に弾設したコンプレッションスプリングと、このコンプレッションスプリング内部に収装され、前記取付部材側と支持部材の自由端側との間の一方又は双方にその基部を揺動可能に取り付けたダンパーとから成るものにおいて、前記ダンパーに軸方向へ移動可能にアジャストプレートを取り付け、このアジャストプレートと前記支持部材側或は取付部材側との間に前記コンプレッションスプリングを弾設する。前記ダンパーは、互いを嵌縮可能に嵌め合わせたテレスコープ式のフリクションダンパーとし、互いのテレスコープ脚の基部を前記取付部材側と前記支持部材の自由端側に揺動可能に取り付けて構成することができる。【選択図】　　　　　図２
2004101620.tif 000002
【特許請求の範囲】
【請求項１】
装置本体側に取り付けられる取付部材と、この取付部材にヒンジピンを介して回動可能に取り付けた原稿圧着板を支持する支持部材と、この支持部材側と前記取付部材との間に弾設したコンプレッションスプリングと、このコンプレッションスプリング内部に収装され、前記取付部材側と支持部材の自由端側との間の一方又は双方にその基部を揺動可能に取り付けたダンパーとから成るものにおいて、前記ダンパーに軸方向へ移動可能にアジャストプレートを取り付け、このアジャストプレートと前記支持部材側或は取付部材側との間に前記コンプレッションスプリングを弾設したことを特徴とする、ヒンジ装置。
【請求項２】
前記ダンパーは、ピストン杆を有する流体ダンパーであって、シリンダー側の基部を前記取付部材側に揺動可能に取り付けたことを特徴とする、請求項１に記載のヒンジ装置。
【請求項３】
前記ダンパーは、ピストン杆を有する流体ダンパーであって、シリンダー側の基部を前記支持部材側に揺動可能に取り付けたことを特徴とする、請求項１に記載のヒンジ装置。
【請求項４】
前記ダンパーは、互いを嵌縮可能に嵌め合わせたテレスコープ式のフリクションダンパーであって、互いのテレスコープ脚の基部を前記取付部材側と前記支持部材の自由端側に揺動可能に取り付けたことを特徴とする、請求項１に記載のヒンジ装置。
【請求項５】
前記取付部材と前記支持部材との間には互いに嵌縮可能に構成した一対のスプリングケースが揺動可能に取り付けられ、前記ダンパーは、この一対のスプリングケースのどちらかにその基部を固定させたことを特徴とする、請求項１に記載のヒンジ装置。
【請求項６】
前記支持部材の自由端側には、さらに原稿圧着板を取り付けるリフト部材が回転可能に軸着され、前記スプリングケースの一方は、このリフト部材に前記支持部材に対する軸着個所とは異なった個所に揺動可能に軸支され、もう一方のスプリングケースは取付部材の側の前記支持部材の軸着個所とは異なる個所に軸支されているものであることを特徴とする、請求項４に記載のヒンジ装置。
【請求項７】
前記ダンパーは、前記取付部材側に軸支させた一方のスプリングケースの側にその基部を固定させており、この基部に軸方向へ移動調節可能に取り付けたアジャストプレートともう一方の前記スプリングケースとの間に前記ダンパーを内部に収納させてコンプレッションスプリングを弾設したことを特徴とする、請求項１に記載のヒンジ装置。
【発明の詳細な説明】
【０００１】
【発明の属する技術分野】
この発明は、複写機や印刷機等の原稿圧着板を開閉する際に用いて好適なヒンジ装置に関する。
【０００２】
【従来の技術】
従来、複写機や印刷機等においては、原稿自動送り装置を内蔵させた比較的に重量のある原稿圧着板が広く普及を見ており、この原稿圧着板を開閉するヒンジ装置として、例えば特開平１１−１７４５９７号に示されたようなものが公知である。
【０００３】
この公知構成のヒンジ装置（原稿圧着板開閉装置）は、装置本体側に取り付けられる取付部材と、この取付部材にヒンジピンを介して回動可能に取り付けた原稿圧着板を支持する支持部材と、この支持部材側と前記取付部材とに揺動可能かつ互いに嵌縮可能に軸支させた一対のスプリング受け部材を兼ねるスプリングケースと、この一対のスプリングケースとの間に弾設したコンプレッションスプリングと、このコンプレッションスプリング内部に収装され、前記スプリングケースのどちらかに固定されて設けられたダンパーとから成るものであった。
【０００４】
また、コンプレッションスプリングの弾力を変化させて支持部材の回転トルクを調節する手段としては、例えば実公平５−８５９９号に示すように、一方のスプリングケースの基部に調節ネジで軸方向へ移動可能にスプリング受座を設けたものが公知である。
【０００５】
【発明が解決しようとする課題】
上述した２つの公知技術を組み合わせると、スプリング受座にダンパーの基部を固定させるものが想起されるが、このように構成すると、トルク調節のためには、スプリング受座を軸方向へ移動させて、互いのスプリングケース間の間隔を変化させることになるが、そうすると、原稿圧着板の閉成時にコンプレッションスプリングの中に配置したダンパーが作用し始める原稿圧着板の閉成角度が変化してしまうという問題があった。
【０００６】
この発明の目的は、ダンパーが作用する原稿圧着板の閉成角度を変化させることなく、トルク調節ができるヒンジ装置を提供せんとするにある。
【０００７】
【課題を解決するための手段】
上述した目的を達成するためにこの発明は、装置本体側に取り付けられる取付部材と、この取付部材にヒンジピンを介して回動可能に取り付けた原稿圧着板を支持する支持部材と、この支持部材側と前記取付部材との間に弾設したコンプレッションスプリングと、このコンプレッションスプリング内部に収装され、前記取付部材側と支持部材の自由端側との間の一方或は双方にその基部を揺動可能に取り付けたダンパーとから成るものにおいて、前記ダンパーに軸方向へ移動可能にアジャストプレートを取り付け、このアジャストプレートと前記支持部材側或は取付部材側との間に前記コンプレッションスプリングを弾設したことを特徴とする。
【０００８】
その際に、前記ダンパーは、ピストン杆を有する流体ダンパーとし、そのシリンダー側の基部を前記取付部材側へ揺動可能に取り付けたり、或はその基部を前記支持部材側へ揺動可能に取り付けたりすることができる。
【０００９】
この発明はまた、前記ダンパーを、互いを嵌縮可能に嵌め合わせたテレスコープ式のフリクションダンパーとし、互いのテレスコープ脚の基部を前記取付部材側と前記支持部材の自由端側に揺動可能に取り付けて構成することができる。
【００１０】
この発明はまた、前記取付部材と前記支持部材との間に互いに嵌縮可能に構成した一対のスプリングケースを揺動可能に取り付け、前記ダンパーの基部をこの一対のスプリングケースのどちらかに固定させることができる。
【００１１】
この発明はさらに、前記支持部材の自由端側に、さらにリフト部材を回転可能に軸着し、前記スプリングケースの一方を、このリフト部材の前記軸着個所とは異なった個所に揺動可能に軸支させ、もう一方のスプリングケースを取付部材の側の前記支持部材の軸着個所とは異なる個所に軸支させることができる。
【００１２】
そして、この発明は、前記ダンパーを、前記取付部材側に軸支させた一方のスプリングケースの側にその基部を固定させ、この基部に軸方向へ移動調節可能に取り付けたアジャストプレートを取り付け、このアジャストプレートともう一方の前記スプリングケースとの間に前記ダンパーを内部に収納させてコンプレッションスプリングを弾設することができる。
【００１３】
【発明の実施の形態】
以下にこの発明の一実施の形態を複写機に実施した場合について図面に基づいて詳細に説明する。
【００１４】
図面において、指示記号１は複写機や印刷機等の装置本体２の後部上端に取り付けられる取付部材であり、この取付部材１の取付プレート１ａの両側より立ち上げた両側板１ｂ，１ｂには、第１ヒンジピン３を介して支持部材４がその両側板４ａ，４ａを回動可能に枢支されている。
【００１５】
この支持部材４の両側板４ａ，４ａの自由端側には、第２ヒンジピン５を介して、リフト部材６がその両側板６ａ，６ａを回動可能に枢支されている。このことにより、支持部材４の回動方向とリフト部材６の回動方向は逆方向となり、取付部材１と支持部材４とリフト部材６は、互いにつづら折に折り畳まれるように枢支されている。このリフト部材６の背板６ｂには、調節ネジ６ｄが捻子着され、その先端を支持部材４の背板４ｂに当接させている。そして、このリフト部材６の取付板６ｃ，６ｃには、図示してはないが自動原稿送り装置を取り付けた原稿圧着板７がその後部において取り付けられている。
【００１６】
リフト部材６が第２ヒンジピン５によって枢支されている側には、さらに枢支位置を変えてスプリング受け部材を兼ねる第１スプリングケース８がその頂部に突設させた取付板８ａ，８ａを第３ヒンジピン９によって揺動可能に枢支させている。
【００１７】
この第１スプリングケース８は、同じくスプリング受け部材を兼ねる第２スプリングケース１０を拘持片８ｃ，８ｃによって嵌縮可能に拘持しており、この第２スプリングケース１０は、取付部材１の両側板１ｂ，１ｂの第１ヒンジピン３とは離れた位置に、一対の第４ヒンジピン１１，１１を介して揺動可能に支承されている。この支承構造は、第２スプリングケース１０の底部両側に軸受溝１０ａ，１０ａを設け、この軸受溝１０ａ，１０ａに第４ヒンジピン１１，１１を受け入れて成るものである。尚、この構成は、この発明に係るヒンジ装置の組み立てを容易とするためのものであり、第４ヒンジピン１１，１１を一対のものではなく、１本のヒンジピンで構成しても良く、軸受溝１０ａ，１０ａを互いに連通させた１個のものとしても良い。また、軸受溝１０ａ，１０ａはこれを貫通孔とすることができる。
【００１８】
この第２スプリングケース１０には、その底部中央に設けた装着孔１０ｂには、ピストン杆１２ａとシリンダー１２ｂから成る流体ダンパー１２がそのシリンダー１２ｂの基部１２ｃを嵌入させており、この基部１２ｃの外周に設けた雄ネジ部１２ｄにはアジャストプレート１３が回転可能に捻子着されている。尚、流体ダンパー１２の内部構造の説明は省略する。それは例えば特開平９−３１１３８９号に示されたようなものである。そして、この流体ダンパー１２の自由端側より突出させたピストン杆１２ａは、第１スプリングケース８内の内頂部８ｂと対向すると共に、アジャストプレート１３と第１スプリングケース８内の内頂部８ｂとの間には、内部に流体ダンパー１２を軸方向に挿通させて大小一対のコンプレッションスプリング１５ａ，１５ｂが弾設されている。尚、指示記号１６のものは、流体ダンパー１２の受座金である。
【００１９】
したがって、図１と図２に示したように、原稿圧着板７を閉じた状態においては、支持部材４とリフト部材６は互いに折り畳まれた状態にあって、コンプレッションスプリング１５ａ，１５ｂは、一対のスプリング受け部材を兼ねる第１、第２スプリングケース８，１０の内部において、圧縮された状態にある。このコンプレッションスプリング１５ａ，１５ｂは、原稿圧着板７を支持する支持部材４を枢支する第１ヒンジピン３の回りに原稿圧着板７を開く方向の回転トルクを発生させるものであり、このコンプレッションスプリング１５ａ，１５ｂの弾力を変化させると、第１ヒンジピン３の回りに発生する回転トルクを調節することができるものである。また、流体ダンパー１２のピストン杆１２ａはシリンダー１２ｂ内へ押し込まれた状態にある。
【００２０】
図１と図２に示した状態から原稿圧着板７を開くと、支持部材４とリフト部材６が共に第１ヒンジピン３を支点に回動して原稿圧着板７の開成動作を許容し、図５に示したように、約９０°の角度まで開かれる。その際にコンプレッションスプリング１５ａ，１５ｂのもたらす回転トルクにより原稿圧着板７は、本来の重量を感じさせることなく、軽く開くことができる。尚、原稿圧着板７の最大開成角度は、図示してないストッパー手段によって、これを７０°位に規制することが可能である。原稿圧着板７が開かれるにつれて、第１スプリングケース８と第２スプリングケース１０との間の間隔が広がるので、ピストン杆１２ａはシリンダー１２ｂ内より外部へ押し出されるが、所定位置まで押出されると停止する。
【００２１】
開いた原稿圧着板７を閉じる際には、手による押圧力と原稿圧着板７の自重によってコンプレッションスプリング１５ａ，１５ｂの弾力に抗して閉じられるが、その際に、原稿圧着板７はリフト部材６の支持部材４に対する第２ヒンジピン５を支点に反転しようとする。しかし、このリフト部材６に第３ヒンジピン９によって取り付けた第１スプリングケース８がコンプレッションスプリング１５ａ，１５ｂによる押圧力により、リフト部材６が支持部材４と重なる方向へ押圧しているので、原稿圧着板７が通常の閉成操作で第２ヒンジピン５を支点に反転してしまうことはない。また、このリフト部材６の反転防止機能は、原稿圧着板７を開いた状態で手を離した際にも機能する。
【００２２】
原稿圧着板７を閉成操作すると、加速力がつくことから、該原稿圧着板７は閉成速度を増して閉じられることになるが、コンプレッションスプリング１５ａ，１５ｂも圧縮されて弾力を増大させるので、リフト部材６はより強く支持部材４と重なる方向へ押圧されることになる。
【００２３】
原稿圧着板７はとくに原稿自動送り装置付きの場合には重量があるので、急激に閉じるとコンタクトガラス１９を破損したり、手を挟んだりする場合があるので、原稿圧着板７が所定の閉成角度まで閉じられると、流体ダンパー１２のピストン杆１２ａの先端が第１スプリングケース８の内頂部８ｂに当接して、緩衝作用を行うので、原稿圧着板７は所定閉成角度（通常は１５°）から急激に閉じられることはなく、静かに閉じられる。
【００２４】
次に、原稿圧着板７は、所定の閉成角度において、コンプレッションスプリング１５ａ，１５ｂの弾力と原稿圧着板７の重量がバランスするところで、手を離しても、自然落下することなく支持されるので、両手を用いて原稿をコンタクトガラス１９上へセットすることが可能となる。この際に原稿圧着板７が第２ヒンジピン５を支点に反転してしまわないことは前述した。
【００２５】
原稿が本のように厚物原稿の場合には、とくに図３に示したように、厚物原稿１７をコンタクトガラス１９上へ載置して原稿圧着板７を閉じると、該原稿圧着板７はリフト部材６と共にコンプレッションスプリング１５ａ，１５ｂの弾力に抗して第２ヒンジピン５を支点に反転し、厚物原稿１７の上面を水平に覆い、露光が外部へ漏れるのを極力防止するものである。
【００２６】
そして、原稿圧着板７の重量に応じて回転トルクを調節しようとする場合には、図７に示したように、アジャストプレート１３の流体ダンパー１２の基部１２ｃの雄ネジ部１２ｄに対する取付位置を変化させることによって、コンプレッションスプリング１５ａ，１５ｂの弾力を変化させるものである。そうすると、支持部材４が第１ヒンジピン３の回りに発生させる回転トルクを調節することが可能となる。しかし、その際に、流体ダンパー１２のピストン杆１２ａの先端と第１スプリングケース８の内頂部８ｂとの間の距離は変化することはない。
【００２７】
このアジャストプレート１３の移動は、該アジャストプレート１３自体は第２スプリングケース１０内に回転不可に拘束されているので、コンプレッションスプリング１５ａ，１５ｂごしにピストン杆１２ａを回転させシリンダー１２ｂごと流体ダンパー１２自身を回転させることによってなされる。勿論、これ以外の方法は多数考えられる。
【００２８】
この発明は、リフト部材６を用いず、原稿圧着板７を直接支持部材４へ取り付ける構成のヒンジ装置にも適用することができるものである。上述した実施の形態のように、リフト部材６に取り付けた調節ネジ６ｄは、原稿圧着板７が均一の押圧力でコンタクトガラス１９上へ押圧されるのを調節するものであり、これにより原稿圧着板７を閉じた際の薄物原稿１８の位置のずれや自動原稿送り装置を動作させた場合の原稿の斜行を防止することができるものである。
【００２９】
尚、流体ダンパー１２の構成は、先に説明したものに限定されるものではなく、互いに嵌縮可能に組み合せたテレスコープ式のダンパーとし、所定の嵌縮位置から急激に摩擦力が増大するようにした、フリクション方式のもので構成しても良い。この場合に互いのテレスコープ脚の基部は支持部材側と取付部材側へ揺動可能に取り付けられる構成となる。
【００３０】
【発明の効果】
この発明は以上のように構成したので次のような効果を奏し得る。
【００３１】
請求項１乃至４及び７のように構成すると、ダンパーが効き始める原稿圧着板の閉成角度を変化させることなく、原稿圧着板の回転トルクを調節することができるという効果を奏し得る。
【００３２】
請求項５乃至６のように構成すると、スプリングケースにより外部よりコンプレッションスプリングが見えないように隠すことができる上に、コンプレッションスプリングに塗布させたグリスが外部へ飛び散るのを防止することができるものである。
【図面の簡単な説明】
【図１】この発明に係るヒンジ装置を複写機へ実施した場合の側面図である。
【図２】図１の状態におけるヒンジ装置の内部構造を示す縦断面図である。
【図３】この発明に係るヒンジ装置の動作を説明する説明図である。
【図４】この発明に係るヒンジ装置の正面図である。
【図５】図４の状態における縦断面図である。
【図６】図４のＡ−Ａ線断面図である。
【図７】図２の状態におけるヒンジ装置のアジャストプレートの動作を説明する縦断面図である。
【符号の説明】
１　取付部材
１ａ　取付プレート
１ｂ　両側板
２　装置本体
３　第１ヒンジピン
４　支持部材
４ａ　両側板
４ｂ　背板
５　第２ヒンジピン
６　リフト部材
６ａ　両側板
６ｂ　背板
６ｃ　取付板
６ｄ　調節ネジ
７　原稿圧着板
８　第１スプリングケース
８ａ　取付板
８ｂ　内頂部
８ｃ　拘持片
９　第３ヒンジピン
１０　第２スプリングケース
１０ａ　軸受溝
１０ｂ　装着孔
１１　第４ヒンジピン
１２　流体ダンパー
１２ａ　ピストン杆
１２ｂ　シリンダー
１２ｃ　基部
１２ｄ　雄ネジ部
１３　アジャストプレート
１５ａ　コンプレッションスプリング
１５ｂ　コンプレッションスプリング
１６　受座金
１７　厚物原稿
１８　薄物原稿
１９　コンタクトガラス
【図１】
2004101620.tif 000003
【図２】
2004101620.tif 000004
【図３】
2004101620.tif 000005
【図４】
2004101620.tif 000006
【図５】
2004101620.tif 000007
【図６】
2004101620.tif 000008
【図７】
2004101620.tif 000009